(57)【特許請求の範囲】
【請求項１】
薬液シリンジと延長チューブと薬液注入装置とを有しており、
前記薬液シリンジは、先端に貫通孔が形成されていて末端が開口した中空の円筒形状で薬液が充填されるシリンダ部材と、前記シリンダ部材の末端の前記開口から内部にスライド自在に挿入されているピストン部材と、を有しており、
前記延長チューブは、被験者の血管に連結される注入針が先端に装着されていて末端が前記薬液シリンジのシリンダ部材の貫通孔に連結され、
前記薬液注入装置は、前記薬液シリンジのシリンダ部材を着脱自在に保持するシリンダ保持機構と、保持された前記シリンダ部材に対して前記ピストン部材を相対移動させるピストン駆動機構と、を有している薬液注入システムであって、
前記薬液シリンジのシリンダ部材の貫通孔が弾性体で密閉されており、
前記延長チューブの末端に中空針が装着されており、
前記薬液注入装置は、前記延長チューブの中空針を着脱自在に保持するチューブ保持機構と、このチューブ保持機構で保持された前記中空針を前記シリンダ保持機構で保持された前記シリンダ部材の弾性体に対向する位置と穿刺される位置とに移動自在に支持しているチューブ連結機構と、を有している薬液注入システム。
【請求項２】
薬液シリンジと延長チューブと薬液注入装置とを有しており、
前記薬液シリンジは、先端に貫通孔が形成されていて末端が開口した中空の円筒形状で薬液が充填されるシリンダ部材と、前記シリンダ部材の末端の前記開口から内部にスライド自在に挿入されているピストン部材と、を有しており、
前記延長チューブは、被験者の血管に連結される注入針が先端に装着されていて末端が前記薬液シリンジのシリンダ部材の貫通孔に連結され、
前記薬液注入装置は、前記薬液シリンジのシリンダ部材を着脱自在に保持するシリンダ保持機構と、保持された前記シリンダ部材に対して前記ピストン部材を相対移動させるピストン駆動機構と、を有している薬液注入システムであって、
前記薬液シリンジのシリンダ部材の貫通孔に中空針が装着されており、
前記延長チューブは、末端に連結されている硬質な円筒部材と、この円筒部材の末端の開口を密閉している弾性体と、を有しており、
前記薬液注入装置は、前記延長チューブの円筒部材を着脱自在に保持する部材保持機構と、この部材保持機構で保持された前記円筒部材を前記シリンダ保持機構で保持された前記シリンダ部材の中空針に対向する位置と穿刺される位置とに移動自在に支持しているチューブ連結機構と、を有している薬液注入システム。
【請求項３】
請求項１に記載の薬液注入システムの延長チューブであって、
先端に装着されていて被験者の血管に連結される注入針と、
末端に装着されていて前記薬液シリンジの弾性体に穿刺される中空針と、
を有している延長チューブ。
【請求項４】
請求項２に記載の薬液注入システムの延長チューブであって、
先端に装着されていて被験者の血管に連結される注入針と、
末端に連結されている硬質な円筒部材と、
この円筒部材の末端の開口を密閉していて前記薬液シリンジの中空針が穿刺される弾性体と、
を有している延長チューブ。
【請求項５】
請求項１に記載の薬液注入システムの薬液注入装置であって、
前記薬液シリンジのシリンダ部材を着脱自在に保持するシリンダ保持機構と、
保持された前記シリンダ部材に対して前記ピストン部材を相対移動させるピストン駆動機構と、
前記延長チューブの中空針を着脱自在に保持するチューブ保持機構と、
このチューブ保持機構で保持された前記中空針を前記シリンダ保持機構で保持された前記シリンダ部材の弾性体に対向する位置と穿刺される位置とに移動自在に支持しているチューブ連結機構と、
を有している薬液注入装置。
【請求項６】
請求項２に記載の薬液注入システムの薬液注入装置であって、
前記薬液シリンジのシリンダ部材を着脱自在に保持するシリンダ保持機構と、
保持された前記シリンダ部材に対して前記ピストン部材を相対移動させるピストン駆動機構と、
前記延長チューブの円筒部材を着脱自在に保持する部材保持機構と、
この部材保持機構で保持された前記円筒部材を前記シリンダ保持機構で保持された前記シリンダ部材の中空針に対向する位置と穿刺される位置とに移動自在に支持しているチューブ連結機構と、
を有している薬液注入装置。
【請求項７】
放射線を遮断する材質で形成されていて保持された前記薬液シリンジを遮蔽するシリンジ遮蔽部材と、
放射線を遮断する材質で形成されていて保持された前記中空針を遮蔽する針遮蔽部材と、
も有している請求項５に記載の薬液注入装置。
【請求項８】
前記チューブ連結機構は、前記シリンジ遮蔽部材で前記薬液シリンジが遮蔽されているとともに前記針遮蔽部材で前記中空針が遮蔽されている状態で前記薬液シリンジと前記中空針とを相対移動させる請求項７に記載の薬液注入装置。
【請求項９】
放射線を遮断する材質で形成されていて保持された前記薬液シリンジを遮蔽するシリンジ遮蔽部材と、
放射線を遮断する材質で形成されていて保持された前記円筒部材を遮蔽する部材遮蔽部材と、
も有している請求項６に記載の薬液注入装置。
【請求項１０】
前記チューブ連結機構は、前記シリンジ遮蔽部材で前記薬液シリンジが遮蔽されているとともに前記部材遮蔽部材で前記円筒部材が遮蔽されている状態で前記薬液シリンジと前記中空針とを相対移動させる請求項９に記載の薬液注入装置。
【発明の詳細な説明】
【技術分野】
【０００１】
本発明は、薬液シリンジのシリンダ部材とピストン部材とを薬液注入装置で相対移動させて被験者に薬液を注入する薬液注入システムに関し、特に、薬液シリンジがシリンダアダプタを介して薬液注入装置に装着される薬液注入システムに関する。
【背景技術】
【０００２】
現在、被験者の透視画像を撮像する透視撮像装置としては、ＣＴ(Computed
Tomography)スキャナ、ＭＲＩ(Magnetic
Resonance Imaging)装置、ＰＥＴ(Positron Emission Tomography)装置、ＳＰＥＣＴ(Single Photon
Emission Computed Tomography)装置、超音波診断装置、アンギオ装置、ＭＲＡ(MR Angio)装置、等がある。【０００３】
上述のような装置を使用するとき、被験者に造影剤などの薬液を注入することがあり、この注入を自動的に実行する薬液注入装置も実用化されている。上述のような薬液注入装置は注入ヘッドを有しており、この注入ヘッドに薬液シリンジが着脱自在に装着される。【０００４】
薬液シリンジは、シリンダ部材とピストン部材からなり、シリンダ部材は中空の円筒形状に形成されている。さらに、シリンダ部材は先端に貫通孔が形成されていて末端は開口されているので、この開口から内部にピストン部材がスライド自在に挿入されている。【０００５】
一般的にシリンダ部材の先端の貫通孔は突出した導管部分として形成されているので、この導管部分に延長チューブの末端部分が連結される。この延長チューブは先端部分に注入針が一体に装着されているので、この注入針が被験者の血管に連結される。そこで、薬液注入装置を使用する場合、薬液が充填されている薬液シリンジのシリンダ部材を上述のように延長チューブで被験者に連結し、その薬液シリンジを薬液注入装置の注入ヘッドに装着する。【０００６】
一般的な薬液注入装置では、薬液シリンジのシリンダ部材に対応した形状の凹部が注入ヘッドの上面に形成されているので、この凹部にシリンダ部材を装填すれば薬液シリンジが保持される。さらに、薬液注入装置はピストン駆動機構によりピストン部材をシリンダ部材とは別個に保持し、そのピストン駆動機構でピストン部材をスライドさせる。これで薬液シリンジから被験者に薬液を注入することができ、必要により薬液シリンジに薬液タンクから薬液を吸入することもできる。【０００７】
なお、前述したＰＥＴ装置やＳＰＥＣＴ装置を利用したＲＩ(Radio
Isotope)検査では、ラジオアイソトープの薬液が造影剤として使用される。しかし、この造影剤は有害な放射線を放出するので、作業者の被爆を防止するため、その薬液シリンジには放射線を遮断するタングステン製のシリンジカバーが装着される。このため、ＲＩ検査に利用される薬液注入装置は、シリンジカバーが装着された薬液シリンジのシリンダ部材をシリンジ駆動機構が保持する。【０００８】
また、ＲＩ検査では造影剤のラジオアイソトープが時間経過とともに自然崩壊するため、被験者に注入する直前に専用の薬液生成装置により造影剤を生成して薬液シリンジに充填する必要がある。その場合、薬液シリンジの先端の導管部分にゴムキャップが装着され、薬液生成装置の先鋭な注入針が薬液シリンジのゴムキャップに穿刺される。【０００９】
このような状態で薬液生成装置から薬液シリンジにラジオアイソトープの造影剤が充填されるので、その薬液シリンジから被験者に造影剤を注入するときには、作業者は薬液シリンジからゴムキャップを取り外して延長チューブを連結する。なお、上述のような薬液注入装置は、本出願人などにより過去に発明されて出願されている(例えば、特許文献１，２参照)。
【特許文献１】特開２００２−１１０９６号
【特許文献２】特開２００２−１０２３４３号
【発明の開示】
【発明が解決しようとする課題】
【００１０】
上述したＲＩ検査では、作業者の被爆を防止するために薬液シリンジにタングステンのシリンジカバーを装着しているが、薬液シリンジに延長チューブを連結するときには、ラジオアイソトープの造影剤が充填されている薬液シリンジから作業者が手作業でゴムキャップを取り外し、そこに延長チューブを手作業で装着する必要があるので、薬液シリンジに延長チューブを連結する作業者が被爆することになる。【００１１】
ＲＩ検査以外では、薬液シリンジに延長チューブを連結する作業者が被爆することはないが、それでも造影剤が充填されている薬液シリンジから作業者が手作業でゴムキャップなどを取り外し、そこに延長チューブを手作業で装着する必要があるので、その作業が煩雑である。【００１２】
本発明は上述のような課題に鑑みてなされたものであり、ラジオアイソトープの造影剤でも作業者が被爆することなく、煩雑な作業も必要とすることなく、薬液シリンジに延長チューブを連結することができる薬液注入システムを提供することを目的とする。
【課題を解決するための手段】
【００１３】
本発明の薬液注入システムは、薬液シリンジと延長チューブと薬液注入装置とを有しており、薬液シリンジは、シリンダ部材とピストン部材とを有しており、薬液注入装置はシリンダ保持機構とピストン駆動機構とを有している。薬液シリンジのシリンダ部材は、先端に貫通孔が形成されていて末端が開口した中空の円筒形状で薬液が充填され、ピストン部材は、シリンダ部材の末端の開口から内部にスライド自在に挿入されている。延長チューブは、被験者の血管に連結される注入針が先端に装着されており、末端が薬液シリンジのシリンダ部材の貫通孔に連結される。薬液注入装置のシリンダ保持機構は、薬液シリンジのシリンダ部材を着脱自在に保持し、ピストン駆動機構は、保持されたシリンダ部材に対してピストン部材を相対移動させる。【００１４】
ただし、本発明の第１の薬液注入システムでは、薬液シリンジのシリンダ部材の貫通孔が弾性体で密閉されており、延長チューブの末端に先鋭な中空針が装着されている。そして、薬液注入装置はチューブ保持機構とチューブ連結機構とを有しており、チューブ保持機構は、延長チューブの中空針を着脱自在に保持する。チューブ連結機構は、チューブ保持機構で保持された中空針をシリンダ保持機構で保持されたシリンダ部材の弾性体に対向する位置と穿刺される位置とに移動自在に支持しているので、薬液シリンジに延長チューブを連結するときに作業者が手作業で薬液シリンジから弾性体を取り外して薬液チューブを連結するような必要がない。【００１５】
さらに、本発明の第２の薬液注入システムでは、薬液シリンジのシリンダ部材の貫通孔に先鋭な中空針が装着されており、延長チューブは円筒部材と弾性体とを有しており、薬液注入装置は部材保持機構とチューブ連結機構とを有している。円筒部材は硬質で延長チューブの末端に連結されており、弾性体は円筒部材の末端の開口を密閉している。薬液注入装置の部材保持機構は、延長チューブの円筒部材を着脱自在に保持し、チューブ連結機構は、部材保持機構で保持された円筒部材をシリンダ保持機構で保持されたシリンダ部材の中空針に対向する位置と穿刺される位置とに移動自在に支持しているので、薬液シリンジに延長チューブを連結するときに作業者が手作業で薬液シリンジから弾性体を取り外して薬液チューブを連結するような必要がない。
【発明の効果】
【００１６】
本発明の薬液注入システムでは、薬液注入装置で薬液シリンジに延長チューブを連結できることより、作業者が手作業で薬液シリンジから弾性体を取り外して薬液チューブを連結するような必要がないので、その作業負担が軽減されており、薬液がラジオアイソトープの造影剤でも作業者が被爆することがない。
【図面の簡単な説明】
【００１７】
【図１】本発明の実施の形態の薬液注入システムの薬液注入装置に薬液シリンジと延長チューブとが装着された状態を示す斜視図である。
【図２】薬液注入装置に薬液シリンジと延長チューブとが装着される状態を示す分解斜視図である。
【図３】薬液シリンジにシリンジカバーと弾性体であるゴムキャップとが装着される状態を示す斜視図である。
【図４】薬液注入装置の外観を示す斜視図である。
【図５】薬液注入システムの外観を示す斜視図である。
【符号の説明】
【００１８】
１００    薬液注入装置
１１３    シリンジ遮蔽部材であり針遮蔽部材であるヘッド本体
１１４    シリンジ遮蔽部材であり針遮蔽部材であるヘッドカバー
１１８    シリンダ保持機構
１１９    ピストン駆動機構
１３０    チューブ保持機構
１４０    チューブ連結機構
２００    薬液シリンジ
２１０    シリンダ部材
２１３    貫通孔
２２０    ピストン部材
２３０    シリンジ遮蔽部材であるシリンジカバー
２４０    弾性体であるゴムキャップ
３００    延長チューブ
３１０    中空針
３２０    注入針であるカテーテル
１０００    薬液注入システム
【発明を実施するための最良の形態】
【００１９】
［実施の形態の構成］
本発明の実施の一形態を図面を参照して以下に説明する。本実施の形態の薬液注入システム１０００は、例えば、図５に示すように、薬液注入装置１００、薬液シリンジ２００、延長チューブ３００、透視撮像装置であるＰＥＴ装置４００、からなり、ＰＥＴ装置４００により透視画像が撮像される被験者(図示せず)に、薬液注入装置１００により薬液シリンジ２００からラジオアイソトープの薬液が造影剤として注入される。【００２０】
ＰＥＴ装置４００は、撮像実行機構である透視撮像ユニット４０１と撮像制御ユニット４０２とを有しており、その透視撮像ユニット４０１と撮像制御ユニット４０２とは通信ネットワーク３１１で有線接続されている。透視撮像ユニット４０１は被験者から透視画像を撮像し、撮像制御ユニット４０２は透視撮像ユニット４０１を動作制御する。【００２１】
薬液シリンジ２００は、図３に示すように、シリンダ部材２１０とピストン部材２２０からなり、シリンダ部材２１０にピストン部材２２０がスライド自在に挿入されている。シリンダ部材２１０は、例えば、中空の円筒形状の透明なシリンダ本体２１１を有しており、このシリンダ本体２１１の閉塞した先端面に導管部分２１２が形成されている。この導管部分２１２も中空の円筒形状に形成されているので、そこにシリンダ部材２１０の内部と外部とに連通する貫通孔２１３が形成されている。【００２２】
シリンダ部材２１０のシリンダ本体２１１の末端面は開口されており、この開口からシリンダ本体２１１の内部にピストン部材２２０が挿入されている。また、シリンダ部材２１０の末端外周にはシリンダフランジ２１４が形成されており、ピストン部材２２０の末端外周にはピストンフランジ２２１が形成されている。【００２３】
本形態の薬液注入システム１０００では、薬液シリンジ２００とは別体に、ラジオアイソトープの放射線を遮断する材質であるタングステンや鉛などにより円筒形のシリンジカバー２３０が形成されている。さらに、弾性体であるシリコンゴムなどで円筒状にゴムキャップ２４０が形成されており、薬液シリンジ２００のシリンダ部材２１０の外周部分にシリンジ遮蔽部材であるシリンジカバー２３０が着脱自在に装着されている。【００２４】
このシリンジカバー２３０の先端部分には導管部２１２が連通する貫通孔２３１が形成されているので、このようにシリンジカバー２３０から露出した導管部分２１２にゴムキャップ２４０が着脱自在に装着されることで、薬液シリンジ２００の貫通孔２１３が密閉されている。【００２５】
延長チューブ３００は、図２および図４に示すように、中空針３１０と注入針であるカテーテル３２０とチューブ本体３３０とを有しており、このチューブ本体３３０の末端に中空針３１０が連結されているとともに先端にカテーテル３２０が連結されている。【００２６】
中空針３１０は、例えば、先鋭に形成されており、円筒状のホルダ部材３１１と一体に形成されている。中空針３１０は、詳細には後述するが、ゴムキャップ２４０に穿刺されることで薬液シリンジ２００のシリンダ部材２１０に連結され、カテーテル３２０は、被験者の血管に穿刺されることで連結される。【００２７】
本形態の薬液注入装置１００は、図５に示すように、注入制御ユニット１０１と注入ヘッドである注入ヘッド１１０とが別体に形成されており、その注入制御ユニット１０１と注入ヘッド１１０とは通信ケーブル１０２で有線接続されている。注入ヘッド１１０は、装着される薬液シリンジ２００を駆動して被験者に薬液を注入し、注入制御ユニット１０１は、注入ヘッド１１０を動作制御する。【００２８】
このため、注入制御ユニット１０１はマイクロコンピュータ(図示せず)が内蔵されており、ＰＥＴ装置４００の撮像制御ユニット４０２とも有線接続されている。注入制御ユニット１０１は、図５に示すように、操作パネル１０３、ディスプレイパネル１０４、スピーカユニット１０５、等が本体ハウジング１０６の前面に配置されており、別体のコントローラユニット１０７が接続コネクタ１０８で有線接続されている。【００２９】
注入ヘッド１１０は、キャスタスタンド１１１の上端に可動アーム１１２で可動自在に支持されており、図１に示すように、そのヘッド本体１１３の前部上面にはヘッドカバー１１４が上下方向に開閉自在に装着されている。これらのヘッド本体１１３とヘッドカバー１１４もシリンジ遮蔽部材および針遮蔽部材としてタングステンや鉛などで形成されており、相対するヘッド本体１１３の上面とヘッドカバー１１４の下面には、シリンジカバー２３０が装着された薬液シリンジ２００のシリンダ部材２１０の外形に対応した半円筒形の凹溝１１６，１１７が形成されている。【００３０】
そして、シリンジカバー２３０が装着された薬液シリンジ２００のシリンダ部材２１０をヘッド本体１１３の凹溝１１６に上方から装填し、この状態でヘッドカバー１１４を閉止すると、ヘッド本体１１３とヘッドカバー１１４との凹溝１１６，１１７でシリンジカバー２３０とともにシリンダ部材２１０が保持されるので、ここにシリンダ保持機構１１８が形成されている。【００３１】
さらに、注入ヘッド１１０の後部には、駆動モータやネジ機構などからなるピストン駆動機構１１９が配置されており、上述のように保持された薬液シリンジ２００のシリンダ部材２１０にピストン部材２２０をピストン駆動機構１１９がスライド移動させて圧入する。【００３２】
また、注入ヘッド１１０の前部には、チューブ保持機構１３０が形成されており、このチューブ保持機構１３０により、延長チューブ３００の中空針３１０が着脱自在に保持される。より詳細には、チューブ保持機構１３０は、やはりタングステンで形成されている保持機構本体１３１と保持機構カバー１３２からなり、保持機構本体１３１に保持機構カバー１３２が開閉自在に連結されている。【００３３】
相対する保持機構本体１３１の上面と保持機構カバー１３２の下面には、延長チューブ３００のホルダ部材３１１の外形に対応した半円筒形の凹溝１３３，１３４が形成されているので、延長チューブ３００のホルダ部材３１１は、保持機構本体１３１の凹溝１３３に装填された状態で保持機構カバー１３２が閉止されると保持される。【００３４】
さらに、上述のようなチューブ保持機構１３０は、チューブ連結機構１４０により前後方向にスライド自在に支持されているので、チューブ保持機構１３０で保持された中空針３１０は、シリンダ保持機構１１８で保持されたシリンダ部材２１０のゴムキャップ２４０に対向する位置と穿刺される位置とに移動自在に支持されている。【００３５】
より詳細には、ヘッド本体１１３の前部上面には前後方向に細長い直方体状の凹溝１４１が形成されており、ここに左右方向に細長い直方体状の保持機構本体１３１が前後方向にスライド自在に配置されている。さらに、ヘッド本体１１３の前部両側には前後方向に細長いスリット１４２が上述の凹溝１２１に連通されており、このスリット１４２を貫通したレバー部材１４３が保持機構本体１３１に連結されている。【００３６】
なお、前述のようにラジオアイソトープの造影剤は専用の薬液生成装置(図示せず)で生成されるが、この薬液生成装置は、例えば、造影剤を生成する機構に先鋭な中空針が連結されており、この中空針に造影剤が供給される。さらに、薬液シリンジ２００のシリンダ部材２１０を保持する機構と、そのゴムキャップ２４０に中空針を穿刺する機構と、シリンダ部材２１０に対してピストン部材２２０を引き出す機構とを有しているので、これで薬液シリンジ２００に造影剤が充填される。【００３７】
［実施の形態の作用］
上述のような構成において、本実施の形態の薬液注入システム１０００を使用する場合、図３に示すように、薬液シリンジ２００にシリンジカバー２３０とゴムキャップ２４０とを装着し、その薬液シリンジ２００に薬液生成装置(図示せず)でラジオアイソトープの造影剤を充填する。【００３８】
つぎに、図２に示すように、薬液注入装置１００のヘッド本体１１３からヘッドカバー１１４を開放させ、前端に位置させたチューブ保持機構１３０の保持機構本体１３１から保持機構カバー１３２を開放させる。このような状態で保持機構本体１３１の凹溝１３３に延長チューブ３００のホルダ部材３１１を装填し、保持機構カバー１３２を閉止することで、中空針３１０をチューブ保持機構１３０に保持させる。【００３９】
つぎに、ヘッド本体１１３の凹溝１１６に薬液シリンジ２００を装填し、ヘッドカバー１１４を閉止することで、薬液シリンジ２００をシリンダ保持機構１１８に保持させる。そして、作業者が手動操作によりレバー部材１４３を後退させると、これに連動してチューブ保持機構１３０が後退して延長チューブ３００の中空針３１０が薬液シリンジ２００のゴムキャップ２４０に穿刺される。【００４０】
これで薬液シリンジ２００に延長チューブ３００が連結されたことになるので、例えば、作業者が薬液注入装置１００の操作パネル１０３で空気排出を入力操作すると、ピストン駆動機構１１９が薬液シリンジ２００のピストン部材２２０を微少に押圧する。これで薬液シリンジ２００から延長チューブ３００に微量の造影剤が供給され、延長チューブ３００の内部が造影剤で充填されて空気が排除される。【００４１】
そこで、作業者はＰＥＴ装置４００の透視撮像ユニット４０１に位置する被験者の血管に延長チューブ３００のカテーテル３２０を連結し、薬液注入装置１００に薬液注入を入力操作するとともにＰＥＴ装置４００に画像撮像を入力操作する。すると、薬液注入装置１００のピストン駆動機構１１９がピストン部材２２０を押圧することで、薬液シリンジ２００から延長チューブ３００を介して被験者に造影剤が供給され、この造影剤が供給される被験者からＰＥＴ装置４００により透視画像が撮像される。【００４２】
［実施の形態の効果］
本形態の薬液注入システム１０００では、上述のように薬液注入装置１００で薬液シリンジ２００に延長チューブ３００を連結できることにより、作業者が手作業で薬液シリンジ２００からゴムキャップ２４０を取り外して薬液チューブを連結するような必要がないので、その作業負担が軽減されており、薬液がラジオアイソトープの造影剤でも作業者が被爆することがない。【００４３】
特に、ラジオアイソトープの造影剤を生成して薬液シリンジ２００に充填する薬液生成装置は、薬液シリンジ２００のゴムキャップ２４０に中空針を穿刺して造影剤を供給するので、本形態の薬液注入システム１０００では、薬液生成装置により造影剤が充填された薬液シリンジ２００を、そのまま薬液注入装置１００で利用することができる。【００４４】
［実施の形態の変形例］
本発明は本実施の形態に限定されるものではなく、その要旨を逸脱しない範囲で各種の変形を許容する。例えば、上記形態ではチューブ連結機構１４０を手動操作でスライド移動させることを例示したが、駆動モータとネジ機構などによりチューブ連結機構１４０を機械駆動することも可能である(図示せず)。【００４５】
また、上記形態ではチューブ連結機構１４０がチューブ保持機構１３０を単純にスライド自在に支持していることを例示したが、例えば、中空針３１０がゴムキャップ２４０に穿刺された状態でチューブ保持機構１３０をロックする機構をチューブ連結機構に形成するようなことも可能である(図示せず)。【００４６】
さらに、上記形態では作業者の被爆を良好に防止するため、中空針３１０やゴムキャップ２４０の位置もヘッドカバー１１４で完全に遮蔽することを例示したが、例えば、中空針３１０やゴムキャップ２４０の位置を視認できる窓部をヘッドカバーに形成するようなことも可能である。この場合、中空針３１０がゴムキャップ２４０に穿刺されたかを目視で確認できるので、より確実に注入作業を実行することができる。なお、このような窓部には、例えば、放射線を良好に遮蔽できる鉛ガラスなどを利用することが好適である(図示せず)。【００４７】
また、上記形態では薬液シリンジ２００のシリンダ部材２１０から突出した導管部２１２の外側にゴムキャップ２４０が装着されていることを例示したが、例えば、シリンダ部材の先端面に貫通孔が直接に形成されており、その貫通孔の内部に弾性体が装着されているようなことも可能である(図示せず)。【００４８】
さらに、上記形態では延長チューブ３００の中空針３１０が薬液シリンジ２００のゴムキャップ２４０に穿刺されることを例示したが、例えば、薬液シリンジのシリンダ部材の貫通孔に先鋭な中空針が装着されており、延長チューブの末端に連結されている硬質な円筒部材の末端開口が弾性体で密閉されており、この延長チューブの弾性体に薬液シリンジの中空針が穿刺されることも可能である(図示せず)。
【図１】
0004708335.tif 000002
【図２】
0004708335.tif 000003
【図３】
0004708335.tif 000004
【図４】
0004708335.tif 000005
【図５】
0004708335.tif 000006